(57)【特許請求の範囲】
【請求項１】
解像度の異なるタッチパネルが選択的に直接接続可能な印刷装置であって、
タッチパネルの接続を認識する認識手段と、
前記印刷装置に記憶された複数のジョブの中から所望のジョブを選択する選択手段と、
前記選択手段で選択したジョブのデータに対し、前記接続されたタッチパネルの解像度に応じた解像度変換を行って、当該タッチパネルの解像度に応じて解像度変換されたジョブの内容を示す画像、画面を遷移するためのアップダウンボタン及びジョブの名前を含む前記選択手段で選択されたジョブのプレビュー画像を生成する生成手段と、
前記生成手段によって生成された前記プレビュー画像を、前記接続されたタッチパネルに表示する表示手段と、
を有する印刷装置。
【請求項２】
前記印刷装置における印刷設定に関する画像の構成を設定する画像設定手段をさらに備え、
前記画像設定手段は、前記タッチパネルの解像度に応じて、前記印刷設定に関する画像に含まれる印刷設定の項目の数を設定し、
前記表示手段は、前記設定された印刷設定の項目の数に応じた画像を前記タッチパネルに表示することを特徴とする請求項１に記載の印刷装置。
【請求項３】
前記選択されたジョブのデータが所定の中間フォーマット形式で記憶されているか否か判断する判断手段をさらに備え、
前記生成手段は、前記判断手段により前記選択されたジョブのデータが所定の中間フォーマット形式で記憶されていないと判断された場合に、前記接続されたタッチパネルの解像度に応じた解像度変換を行って、前記選択手段で選択されたジョブのプレビュー画像を生成することを特徴とする請求項１に記載の印刷装置。
【請求項４】
解像度の異なるタッチパネルが選択的に直接接続可能な印刷装置であって、
タッチパネルの接続を認識する認識手段と、
前記印刷装置に記憶された複数のジョブの中から所望のジョブを選択する選択手段と、
前記選択手段で選択したジョブのデータに対し、前記接続されたタッチパネルの解像度にあわせてラスタライズを行って、当該タッチパネルの解像度にあわせてラスタライズされたジョブの内容を示す画像、画面を遷移するためのアップダウンボタン及びジョブの名前を含む前記選択手段で選択されたジョブのプレビュー画像を生成する生成手段と、
前記生成手段によって生成された前記プレビュー画像を、前記接続されたタッチパネルに表示する表示手段と、
を有する印刷装置。
【請求項５】
前記選択されたジョブの印刷ジョブデータが所定の中間フォーマット形式で記憶されているか否か判断する判断手段をさらに備え、
前記生成手段は、前記判断手段により前記選択されたジョブのデータが所定の中間フォーマット形式で記憶されていると判断された場合に、前記接続されたタッチパネルの解像度にあわせてラスタライズを行って、前記選択手段で選択されたジョブのプレビュー画像を生成することを特徴とする請求項４に記載の印刷装置。
【請求項６】
解像度の異なるタッチパネルが選択的に直接接続可能な印刷装置に接続されたタッチパネルに画像を表示するための画像表示方法であって、
前記印刷装置へのタッチパネルの接続を認識する認識ステップと、
前記印刷装置に記憶された複数のジョブの中から所望のジョブを選択する選択ステップと、
前記選択ステップで選択したジョブのデータに対し、前記接続されたタッチパネルの解像度に応じた解像度変換を行って、当該タッチパネルの解像度に応じて解像度変換されたジョブの内容を示す画像、画面を遷移するためのアップダウンボタン及びジョブの名前を含む前記選択ステップで選択されたジョブのプレビュー画像を生成する生成ステップと、
前記生成ステップによって生成された前記プレビュー画像を、前記接続されたタッチパネルに表示する表示ステップと、
を有する画像表示方法。
【請求項７】
解像度の異なるタッチパネルが選択的に直接接続可能な印刷装置に接続されたタッチパネルに画像を表示するための画像表示方法であって、
前記印刷装置へのタッチパネルの接続を認識する認識ステップと、
前記印刷装置に記憶された複数のジョブの中から所望のジョブを選択する選択ステップと、
前記選択ステップで選択したジョブのデータに対し、前記接続されたタッチパネルの解像度にあわせてラスタライズを行って、当該タッチパネルの解像度にあわせてラスタライズされたジョブの内容を示す画像、画面を遷移するためのアップダウンボタン及びジョブの名前を含む前記選択ステップで選択されたジョブのプレビュー画像を生成する生成ステップと、
前記生成ステップによって生成された前記プレビュー画像を、前記接続されたタッチパネルに表示する表示ステップと、
を有する画像表示方法。
【請求項８】
解像度の異なるタッチパネルが選択的に直接接続可能な印刷装置に接続されたタッチパネルに画像を表示するための画像表示プログラムであって、
前記印刷装置へのタッチパネルの接続を認識する認識手順と、
前記印刷装置に記憶された複数のジョブの中から所望のジョブを選択する選択手順と、
前記選択手順で選択したジョブのデータに対し、前記接続されたタッチパネルの解像度に応じた解像度変換を行って、当該タッチパネルの解像度に応じて解像度変換されたジョブの内容を示す画像、画面を遷移するためのアップダウンボタン及びジョブの名前を含む前記選択手順で選択されたジョブのプレビュー画像を生成する生成手順と、
前記生成手順によって生成された前記プレビュー画像を、前記接続されたタッチパネルに表示する表示手順と、
をコンピュータに実行させるための画像表示プログラム。
【請求項９】
解像度の異なるタッチパネルが選択的に直接接続可能な印刷装置に接続されたタッチパネルに画像を表示するための画像表示プログラムであって、
前記印刷装置へのタッチパネルの接続を認識する認識手順と、
前記印刷装置に記憶された複数のジョブの中から所望のジョブを選択する選択手順と、
前記選択手順で選択したジョブのデータに対し、前記接続されたタッチパネルの解像度にあわせてラスタライズを行って、当該タッチパネルの解像度にあわせてラスタライズされたジョブの内容を示す画像、画面を遷移するためのアップダウンボタン及びジョブの名前を含む前記選択手順で選択されたジョブのプレビュー画像を生成する生成手順と、
前記生成手順によって生成された前記プレビュー画像を、前記接続されたタッチパネルに表示する表示手順と、
をコンピュータに実行させるための画像表示プログラム。
【請求項１０】
請求項８または９に記載の画像表示プログラムを記録したコンピュータ読み取り可能な記録媒体。
【発明の詳細な説明】
【技術分野】
【０００１】
本発明は、印刷装置、画像表示方法、画像表示プログラム、及び画像表示プログラムを記録したコンピュータ読み取り可能な記録媒体に関する。
【背景技術】
【０００２】
従来より、プリンタには、印刷設定に関する設定項目等を表示するモニタが設けられる。しかしながら、プリンタに設けられるモニタは、通常、２、３行のテキストしか一度に表示することができない。そのため、このようなモニタでは、設定項目が複数存在する場合であっても、２、３個の設定項目しか同時に表示できない。また、当該複数の設定項目が段階的にモニタに表示される場合には、利用者は、下位の階層の設定項目をモニタに表示させるために、プリンタに対して煩雑な操作を行う必要がある。
【０００３】
また、プリンタでラベル用紙に印字されるイメージのプレビュー画像を、パーソナルコンピュータ（以下、ＰＣ）のモニタに表示させる技術がある（特許文献１）。しかしながら、この技術は、プレビュー画像とＰＣのモニタの属性との関係を考慮したものではないため、上述した問題を解決するものではない。
【特許文献１】特開平１１−１７９９７４号公報
【発明の開示】
【発明が解決しようとする課題】
【０００４】
本発明は、上記従来技術の有する問題点に鑑みなされたものであり、その目的とするところは、印刷装置に接続されたタッチパネルに、当該タッチパネルに表示する印刷に関する画像を、適切な構成で表示することが可能な印刷装置、画像表示方法、画像表示プログラム、及び画像表示プログラムを記憶した記憶媒体を提供することにある。
【課題を解決するための手段】
【０００５】
本発明の上記目的は、下記の手段によって達成される。
【０００６】
（１）解像度の異なるタッチパネルが選択的に直接接続可能な印刷装置であって、タッチパネルの接続を認識する認識手段と、前記印刷装置に記憶された複数のジョブの中から所望のジョブを選択する選択手段と、前記選択手段で選択したジョブのデータに対し、前記接続されたタッチパネルの解像度に応じた解像度変換を行って、当該タッチパネルの解像度に応じて解像度変換されたジョブの内容を示す画像、画面を遷移するためのアップダウンボタン及びジョブの名前を含む前記選択手段で選択されたジョブのプレビュー画像を生成する生成手段と、前記生成手段によって生成された前記プレビュー画像を、前記接続されたタッチパネルに表示する表示手段と、を有する印刷装置。
【０００８】
（２）前記印刷装置における印刷設定に関する画像の構成を設定する画像設定手段をさらに備え、前記画像設定手段は、前記タッチパネルの解像度に応じて、前記印刷設定に関する画像に含まれる印刷設定の項目の数を設定し、前記表示手段は、前記設定された印刷設定の項目の数に応じた画像を前記タッチパネルに表示することを特徴とする上記（１）に記載の印刷装置。
【０００９】
（３）前記選択されたジョブのデータが所定の中間フォーマット形式で記憶されているか否か判断する判断手段をさらに備え、前記生成手段は、前記判断手段により前記選択されたジョブのデータが所定の中間フォーマット形式で記憶されていないと判断された場合に、前記接続されたタッチパネルの解像度に応じた解像度変換を行って、前記選択手段で選択されたジョブのプレビュー画像を生成することを特徴とする上記（１）に記載の印刷装置。
【００１０】
（４）解像度の異なるタッチパネルが選択的に直接接続可能な印刷装置であって、タッチパネルの接続を認識する認識手段と、前記印刷装置に記憶された複数のジョブの中から所望のジョブを選択する選択手段と、前記選択手段で選択したジョブのデータに対し、前記接続されたタッチパネルの解像度にあわせてラスタライズを行って、当該タッチパネルの解像度にあわせてラスタライズされたジョブの内容を示す画像、画面を遷移するためのアップダウンボタン及びジョブの名前を含む前記選択手段で選択されたジョブのプレビュー画像を生成する生成手段と、前記生成手段によって生成された前記プレビュー画像を、前記接続されたタッチパネルに表示する表示手段と、を有する印刷装置。
【００１１】
（５）前記選択されたジョブの印刷ジョブデータが所定の中間フォーマット形式で記憶されているか否か判断する判断手段をさらに備え、前記生成手段は、前記判断手段により前記選択されたジョブのデータが所定の中間フォーマット形式で記憶されていると判断された場合に、前記接続されたタッチパネルの解像度にあわせてラスタライズを行って、前記選択手段で選択されたジョブのプレビュー画像を生成することを特徴とする上記（４）に記載の印刷装置。
【００１２】
（６）解像度の異なるタッチパネルが選択的に直接接続可能な印刷装置に接続されたタッチパネルに画像を表示するための画像表示方法であって、前記印刷装置へのタッチパネルの接続を認識する認識ステップと、前記印刷装置に記憶された複数のジョブの中から所望のジョブを選択する選択ステップと、前記選択ステップで選択したジョブのデータに対し、前記接続されたタッチパネルの解像度に応じた解像度変換を行って、当該タッチパネルの解像度に応じて解像度変換されたジョブの内容を示す画像、画面を遷移するためのアップダウンボタン及びジョブの名前を含む前記選択ステップで選択されたジョブのプレビュー画像を生成する生成ステップと、前記生成ステップによって生成された前記プレビュー画像を、前記接続されたタッチパネルに表示する表示ステップと、を有する画像表示方法。
【００１３】
（７）解像度の異なるタッチパネルが選択的に直接接続可能な印刷装置に接続されたタッチパネルに画像を表示するための画像表示方法であって、前記印刷装置へのタッチパネルの接続を認識する認識ステップと、前記印刷装置に記憶された複数のジョブの中から所望のジョブを選択する選択ステップと、前記選択ステップで選択したジョブのデータに対し、前記接続されたタッチパネルの解像度にあわせてラスタライズを行って、当該タッチパネルの解像度にあわせてラスタライズされたジョブの内容を示す画像、画面を遷移するためのアップダウンボタン及びジョブの名前を含む前記選択ステップで選択されたジョブのプレビュー画像を生成する生成ステップと、前記生成ステップによって生成された前記プレビュー画像を、前記接続されたタッチパネルに表示する表示ステップと、を有する画像表示方法。
【００１４】
（８）解像度の異なるタッチパネルが選択的に直接接続可能な印刷装置に接続されたタッチパネルに画像を表示するための画像表示プログラムであって、前記印刷装置へのタッチパネルの接続を認識する認識手順と、前記印刷装置に記憶された複数のジョブの中から所望のジョブを選択する選択手順と、前記選択手順で選択したジョブのデータに対し、前記接続されたタッチパネルの解像度に応じた解像度変換を行って、当該タッチパネルの解像度に応じて解像度変換されたジョブの内容を示す画像、画面を遷移するためのアップダウンボタン及びジョブの名前を含む前記選択手順で選択されたジョブのプレビュー画像を生成する生成手順と、前記生成手順によって生成された前記プレビュー画像を、前記接続されたタッチパネルに表示する表示手順と、をコンピュータに実行させるための画像表示プログラム。
（９）解像度の異なるタッチパネルが選択的に直接接続可能な印刷装置に接続されたタッチパネルに画像を表示するための画像表示プログラムであって、前記印刷装置へのタッチパネルの接続を認識する認識手順と、前記印刷装置に記憶された複数のジョブの中から所望のジョブを選択する選択手順と、前記選択手順で選択したジョブのデータに対し、前記接続されたタッチパネルの解像度にあわせてラスタライズを行って、当該タッチパネルの解像度にあわせてラスタライズされたジョブの内容を示す画像、画面を遷移するためのアップダウンボタン及びジョブの名前を含む前記選択手順で選択されたジョブのプレビュー画像を生成する生成手順と、前記生成手順によって生成された前記プレビュー画像を、前記接続されたタッチパネルに表示する表示手順と、をコンピュータに実行させるための画像表示プログラム。
（１０）上記（８）または（９）に記載の画像表示プログラムを記録したコンピュータ読み取り可能な記録媒体。
【発明の効果】
【００１５】
本発明によれば、画面を遷移するためのアップダウンボタン及びジョブの名前を同一画面に表示しながら、タッチパネルの解像度に応じたジョブの内容を示す画像を表示することができる。こうして前記タッチパネルに、印刷に関する画像を、適切な構成で表示することが可能になる。
【発明を実施するための最良の形態】
【００１６】
以下、本発明の第１の実施形態を、図面を参照して詳細に説明する。
【００１７】
図１は、本発明の第１の実施形態にかかる画像表示システム１００の全体構成を示すブロック図である。第１の実施形態にかかる画像表示システム１００は、プリンタ１と、プリンタ１に接続され得るモニタ２とを備え、プリンタ１とモニタ２とは、直接機器間でローカル接続されている。なお、プリンタ１とモニタ２とは、ローカル接続ではなく、ＬＡＮ（Ｌｏｃａｌ  Ａｒｅａ  Ｎｅｔｗｏｒｋ）等の通信ネットワークを介して相互に通信可能に接続されてもよい。
【００１８】
つぎに、プリンタ１の構成について説明するが、プリンタ１は後述する構成要素以外の構成要素を含んでいてもよく、あるいは、後述する構成要素のうちの一部が含まれていなくてもよい。
【００１９】
図２は、プリンタ１の構成の一例を示すブロック図である。
【００２０】
プリンタ１は、ＣＰＵ１０、ＲＯＭ１１、ＲＡＭ１２、ハードディスク１３、操作パネル部１４、印刷部１５、ネットワークインタフェース１６、およびシリアルインタフェース１７を含み、これらは信号をやりとりするためのバス１８を介して相互に接続されている。
【００２１】
ＣＰＵ１０は、制御と演算の各種処理を行う。ＲＯＭ１１には、各種プログラム及びフォントデータが記憶される。ＲＡＭ１２は、作業領域として一時的に印刷データ等のデータを記憶する。ハードディスク１３は、各種プログラム、及び印刷ジョブデータやフォントデータ等のデータを記憶する。操作パネル部１４は、タッチパネル、タッチパネル外の固定キー、表示ランプ等で構成されており、各種の入力と表示を行うために使用される。印刷部１５は、印刷ジョブに基づいて印刷を行う。ネットワークインタフェース１６は、図示しない通信ネットワークに接続し、通信ネットワーク上の他のデバイスと通信するためのインタフェースであり、ＥＴＨＥＲＮＥＴ／イーサネット（登録商標）、トークンリング、ＦＤＤＩ等の規格が用いられる。シリアルインタフェース１７は、プリンタ１と直接接続され得るモニタ２等のデバイスと通信するためのインタフェースであり、ＵＳＢ（Ｕｎｉｖｅｒｓａｌ  Ｓｅｒｉａｌ  Ｂｕｓ）、ＩＥＥＥ１３９４等のシリアルインタフェースである。
【００２２】
次に、図３を用いて、第１の実施形態において、プリンタ１で実行される処理について説明する。
【００２３】
図３のフローチャートにより示されるアルゴリズムは、プリンタ１のＲＯＭ１１にプログラムとして記憶されており、ＣＰＵ１０によって実行される。具体的には、図３に示されるフローチャートは、モニタ２がプリンタ１に接続された場合に、ＲＯＭ１１に記憶されたデバイスドライバと呼ばれるプログラムに基づき実行される。このデバイスドライバでは、プリンタ１に接続可能なデバイスに対してクラスと呼ばれる分類がなされており、各デバイスがプリンタ１に接続された場合に実行される処理の手順は、デバイスのメーカーや製品の違いに関わらず、クラスごとに設定される。このデバイスドライバにおいて、モニタ２は、ディスプレイクラスと呼ばれるクラスに分類されており、図３は、このディスプレイクラスに従った処理の手順を示している。
【００２４】
はじめに、モニタ２の接続が認識される（ステップＳ１０１）。
【００２５】
次いで、第１の印刷設定表示処理が実行される（ステップＳ１０２）。この第１の印刷設定表示処理について図４を用いて説明する。
【００２６】
まず、モニタ２の属性が取得される（ステップＳ２０１）。具体的には、モニタ２の解像度が取得される。
【００２７】
次いで、ステップＳ２０１で取得された属性に基づいて、印刷設定に関する画像の構成が設定される（ステップＳ２０２）。具体的には、ステップS２０１で取得されたモニタ２の解像度に基づいて、モニタ２の画面上に表示する印刷設定に関する項目の数が設定される。つまり、解像度が低いほど一画面に表示される印刷設定に関する項目の数が減らされる。
【００２８】
次いで、ステップＳ２０２で設定された構成に従った画像が、モニタ２に表示される（ステップＳ２０３）。以上で、図４に示す第１の印刷設定表示処理は終了する。
【００２９】
図６は、印刷設定に関する項目全てを一画面に表示可能な解像度、すなわち比較的高解像度のモニタ２における印刷設定に関する項目の表示例を示している。また、図７は、印刷設定に関する項目全てを一画面に表示不可能な解像度、すなわち比較的低解像度のモニタ２における印刷設定に関する項目の表示例を示している。このように、図６には、プリンタ１で設定され得る印刷設定の全ての項目が表示されているのに対して、図７には、図６に示される項目のうちの「ＰＡＰＥＲ  ＭＥＮＵ」のみが表示されている。なお、一度に表示できなかった印刷設定に関する他の項目は、ユーザが操作パネル部１４を操作することにより、順次表示可能である。
【００３０】
また、図４に示すステップＳ２０１において、モニタ２の属性として、モニタ２の解像度の代わりに、あるいはこれに加えて、モニタ２の表示可能色数が取得されても良い。この場合には、続くステップＳ２０２において、ステップＳ２０１で取得された表示可能色数に基づいて、モニタ２に表示する画像の色数が設定され、さらにステップＳ２０３において、ステップＳ２０２で設定された色数を有する画像が、モニタ２に表示される。
【００３１】
図３に戻り、ステップＳ１０２の第１の印刷設定表示処理が終了した後、プリンタ１に記憶されたいずれかの印刷ジョブデータが選択されたか否かが判断される（ステップＳ１０３）。具体的には、利用者が、プリンタ１の操作パネル部１４から、プリンタ１に記憶されたいずれかの印刷ジョブデータを選択したか否かが判断される。
【００３２】
図８は、ステップＳ１０３で、操作パネル部１４に表示される画像を示している。
【００３３】
操作パネル部１４には、プリンタ１に記憶された印刷ジョブデータの名前１４ａが表示され、利用者は、操作パネル部１４における上下キー１４ｂを操作することによって、印刷処理を実行する印刷ジョブデータを選択することが出来る。
【００３４】
図３に戻り、ステップＳ１０３で、いずれかの印刷ジョブデータが選択されていないと判断された場合（ステップＳ１０３でＮＯ）、図３に示す処理は終了する。
【００３５】
一方、いずれかの印刷ジョブデータが選択されたと判断された場合（ステップＳ１０３でＹＥＳ）、第１のプレビュー画像表示処理が実行される（ステップＳ１０４）。この第１のプレビュー画像表示処理について、図５を用いて説明する。
【００３６】
はじめに、ステップＳ１０３で選択された印刷ジョブデータが、描画時間を短縮可能な中間フォーマットであるディスプレイリスト形式（以下、ＤＬ形式）で、プリンタ１に保存されているか否かが判断される（ステップＳ３０１）。
【００３７】
ステップＳ１０３で選択された印刷ジョブデータが、ＤＬ形式でプリンタ１に保存されていると判断された場合には（ステップＳ３０１でＹＥＳ）、ステップＳ１０３で選択された印刷ジョブデータが、ステップＳ２０１で取得されたモニタ２の解像度にあわせてラスタライズされて（ステップＳ３０２）、ラスタライズにより作成されたビットマップ形式のプレビュー画像がモニタ２に表示される（ステップＳ３０４）。
【００３８】
図９は、ステップＳ３０４で、モニタ２に表示されるプレビュー画像Ａを示している。
【００３９】
プレビュー画像Ａには、印刷ジョブの内容を示す画像Ａ１、印刷ジョブの名前Ａ２、及びユーザ名Ａ３等が含まれる。
【００４０】
図５に戻り、ステップＳ３０１において、ステップＳ１０３で選択された印刷ジョブデータがＤＬ形式でプリンタ１に保存されていないと判断された場合には（ステップＳ３０１でＮＯ）、ステップＳ１０３で選択された印刷ジョブデータに対して、ステップＳ２０１で取得されたモニタ２の解像度に応じた解像度変換が実行される（ステップＳ３０３）。このステップＳ３０３の解像度変換は、印刷ジョブデータがＤＬ形式で保存されていない場合、当該印刷ジョブデータは、プリンタ１における操作パネル部１４の解像度にあわせてラスタライズされた状態で保存されていることに基づき、実行される。
【００４１】
次いで、解像度変換により作成されたビットマップ形式のプレビュー画像が、モニタ２に表示される（ステップＳ３０４）。以上で、図５に示す第１のプレビュー画像処理は終了する。
【００４２】
この第１のプレビュー画像表示処理が終了した場合、図３に示す処理は終了する。そして、利用者は、モニタ２に表示されたプレビュー画像を確認して、例えば操作パネル部１４を操作することにより、プリンタ１に印刷処理を実行する印刷ジョブデータを決定することが出来る。
【００４３】
次に、本発明の第２の実施形態を、図面を参照して詳細に説明する。
【００４４】
図１０は、本発明の第２の実施形態にかかる画像表示システム２００の全体構成を示すブロック図である。第２の実施形態にかかる画像表示システム２００は、第１の実施形態と同一の機能構成を有するプリンタ１と、プリンタ１に接続され得るモニタとしてのタッチパネル３とを備え、プリンタ１とタッチパネル３とは、直接機器間でローカル接続されている。なお、プリンタ１とタッチパネル３とは、ローカル接続ではなく、ＬＡＮ等の通信ネットワークを介して相互に通信可能に接続されてもよい。
【００４５】
次に、図１１を用いて、第２の実施形態において、プリンタ１で実行される処理について説明する。
【００４６】
図１１のフローチャートにより示されるアルゴリズムは、プリンタ１のＲＯＭ１１にプログラムとして記憶されており、ＣＰＵ１０によって実行される。具体的には、図１１に示されるフローチャートは、図３に示すフローチャートと同様、タッチパネル３がプリンタ１に接続された場合に、ＲＯＭ１１に記憶されたデバイスドライバに基づき実行されるものである。このデバイスドライバにおいて、タッチパネル３は、ヒューマンインターフェースデバイスクラスと呼ばれるクラスに分類されており、図１１は、このヒューマンインターフェースデバイスクラスに従った処理の手順を示している。
【００４７】
はじめに、タッチパネル３の接続が認識される（ステップＳ４０１）。
【００４８】
次いで、第２の印刷設定表示処理が実行される（ステップＳ４０２）。この第２の印刷設定表示処理について、図１２を用いて説明する。
【００４９】
第２の印刷設定表示処理では、図４に示す第１の印刷設定表示処理と同様に、タッチパネル３の属性が取得されるとともに（ステップＳ５０１）、取得されたタッチパネル３の属性に基づいて、プリンタ１において設定され得る印刷設定に関する画像の構成が設定される（ステップＳ５０２）。具体的には、ステップＳ５０１で、タッチパネル３の属性として、タッチパネル３の解像度が取得され、ステップ５０２において、取得されたタッチパネル３の解像度に基づいて、タッチパネル３の画面上に表示する印刷設定に関する項目の数が設定される。つまり、解像度が低いほど一画面に表示される印刷設定に関する項目の数が減らされる。
【００５０】
次いで、ステップＳ５０２で設定された構成に従った画像が、タッチパネル３に表示される（ステップＳ５０３）。以上で、図１２に示す第２の印刷設定表示処理は終了する。
【００５１】
図１４は、印刷設定に関する項目全てを一画面に表示可能な解像度、すなわち比較的高解像度のタッチパネル３における印刷設定に関する項目の表示例を示している。また、図１５は、印刷設定に関する項目全てを一画面に表示不可能な解像度、すなわち比較的低解像度のタッチパネル３における印刷設定に関する項目の表示例を示している。このように、図１４にはプリンタ１で設定され得る印刷設定の全ての項目がプルダウンメニュー方式で表示されており、利用者は、このタッチパネル３の画面上で、プリンタ１に対して印刷に関する設定を行うことが可能である。これに対して、図１５には、図１４に示される項目のうちの「ＱＵＡＬＩＴＹ  ＭＥＮＵ」のみが表示されている。なお、一度に表示できなかった印刷設定に関する他の項目は、ユーザがタッチパネル３を操作することにより、順次表示可能である。
【００５２】
なお、図１２に示すステップＳ５０１では、第１の実施形態で述べたのと同様に、タッチパネル３の属性として、タッチパネル３の解像度の代わりに、あるいはこれに加えて、タッチパネル３の表示可能色数が取得されても良い。この場合には、続くステップＳ５０２において、取得されたタッチパネル３の表示可能色数に基づいて、タッチパネル３に表示する画像の色数が設定され、さらにステップＳ５０３において、ステップＳ５０２で設定された色数を有する画像が、タッチパネル３に表示される。
【００５３】
図１１に戻り、ステップＳ４０２の第２の印刷設定表示処理が終了した後、印刷設定変更処理が実行される（ステップＳ４０３）。具体的には、利用者が、タッチパネル３の画面上でプルダウンメニューを利用して行った印刷設定の変更が受け付けられる。
【００５４】
次に、プリンタ１に記憶されたいずれかの印刷ジョブデータが選択されたか否かが判断される（ステップＳ４０４）。このステップＳ４０４の処理は、図３に示すステップＳ１０３の処理と同様であるので、説明を省略する。
【００５５】
ステップＳ４０４で、いずれかの印刷ジョブデータが選択されていないと判断された場合（ステップＳ４０４でＮＯ）、図１１に示す処理は終了する。
【００５６】
一方、いずれかの印刷ジョブデータが選択されたと判断された場合（ステップＳ４０４でＹＥＳ）、第２のプレビュー画像表示処理が実行される（ステップＳ４０５）。この第２のプレビュー画像表示処理を、図１３に示す。
【００５７】
第２のプレビュー画像表示処理は、図５に示す第１のプレビュー画像表示処理において、モニタ２に関する事項を、タッチパネル３に関する事項に置き換えたものである。これにより、第２のプレビュー画像表示処理についての詳細な説明は省略する。
【００５８】
図１６は、図１３に示すステップＳ６０４で、タッチパネル３に表示されるプレビュー画像Ｂを示している。
【００５９】
プレビュー画像Ｂには、図９に示すものに加え、画面を遷移するためのボタンＢ１が表示されている。また、プレビュー画像Ｂは、図１１に示すステップＳ４０３で実行された印刷設定の変更が反映された状態で表示される。
【００６０】
図１３に示す第２のプレビュー画像表示処理が終了した場合、図１１に示す処理は終了し、利用者は、タッチパネル３に表示されたプレビュー画像を確認して、プリンタ１における操作パネル部１４を操作することにより、プリンタ１に印刷処理を実行する印刷ジョブデータを決定することが出来る。
【００６１】
以上、本発明の実施形態によれば、プリンタ１に接続されたモニタ２又はタッチパネル３（以下、モニタ２等と記す）の属性が取得され、取得されたモニタ２等の属性に応じて、モニタ２等に表示する印刷に関する画像の構成が設定されるとともに、設定された構成に従って、当該印刷設定に関する画像がモニタ３等に表示される。これにより、当該印刷に関する画像を、適切な構成でモニタ２等に表示することが可能になる。
【００６２】
例えば、取得されたモニタ２等の解像度に基づいて、印刷設定に関する画像に含まれる印刷設定の項目の数が設定される。これにより、プリンタ１で設定され得る印刷設定の項目のうち全ての項目を、モニタ２等に表示することが可能になる。この結果、設定項目が段階的にモニタ等に表示されることがなくなるため、利用者は、印刷設定や印刷設定の変更を行うにあたって、プリンタに対して煩雑な操作を行う必要がない。
【００６３】
また、プリンタ１に記憶された印刷ジョブデータが、モニタ２等の解像度にあわせてラスタライズされることにより、当該印刷ジョブデータにかかるプレビュー画像が、モニタ２等に表示される。これにより、利用者は、プリンタ１に記憶された印刷ジョブデータの内容を、ユーザ名やジョブ名のみで判断せず、プレビュー画像に基づき判断できるため、印刷処理を実行する印刷ジョブデータを、誤ることなく決定することが出来る。
【００６４】
また、上述したプレビュー画像をモニタ２等に表示するにあたって、印刷ジョブデータがＤＬ形式でプリンタ１に保存されている場合には、当該印刷ジョブデータに対して解像度変換を行う必要がない。このため、当該印刷ジョブデータにかかるプレビュー画像を高速に表示することが出来る。
【００６５】
また、取得されたモニタ２等の表示可能色数に基づいて、モニタ２等に表示する画像の色数が設定される。これにより、モニタ２等に表示する画像の色数を、所望の色数に設定することが出来る。
【００６６】
本発明は、上述した実施形態のみに限定されるものではなく、特許請求の範囲内において、種々改変することができる。
【００６７】
例えば、プリンタに接続され得る機器は、モニタ機能を有することをプリンタが認識可能なマスストレージ対応の機器であり得る。
【００６８】
また、本実施形態にかかる印刷装置における各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、印刷装置の一機能として印刷装置のソフトウェアに組み込まれてもよい。
【図面の簡単な説明】
【００６９】
【図１】本発明の第１の実施形態にかかる画像表示システムの全体構成を示すブロック図である。
【図２】プリンタの構成の一例を示すブロック図である。
【図３】第１の実施形態において、プリンタで実行される処理の手順を示すフローチャートである。
【図４】第１の印刷設定表示処理の手順を示すフローチャートである。
【図５】第１のプレビュー画像表示処理の手順を示すフローチャートである。
【図６】印刷設定に関する項目全てを一画面に表示可能な解像度、すなわち比較的高解像度のモニタにおける印刷設定に関する項目の表示例を示す図である。
【図７】印刷設定に関する項目全てを一画面に表示不可能な解像度、すなわち比較的低解像度のモニタにおける印刷設定に関する項目の表示例を示す図である。
【図８】図３に示すステップＳ１０３で、プリンタの操作パネル部に表示される画像を示す図である。
【図９】図５に示すステップＳ３０４で、モニタに表示されるプレビュー画像を示す図である。
【図１０】本発明の第２の実施形態にかかる画像表示システムの全体構成を示すブロック図である。
【図１１】第２の実施形態において、プリンタで実行される処理の手順を示すフローチャートである。
【図１２】第２の印刷設定表示処理の手順を示すフローチャートである。
【図１３】第２のプレビュー画像表示処理の手順を示すフローチャートである。
【図１４】印刷設定に関する項目全てを一画面に表示可能な解像度、すなわち比較的高解像度のタッチパネルにおける印刷設定に関する項目の表示例を示す図である。
【図１５】印刷設定に関する項目全てを一画面に表示不可能な解像度、すなわち比較的低解像度のタッチパネルにおける印刷設定に関する項目の表示例を示す図である。
【図１６】図１３に示すステップＳ６０４で、タッチパネルに表示されるプレビュー画像を示す図である。
【符号の説明】
【００７０】
１    プリンタ、
２    モニタ、
３    タッチパネル、
１０    ＣＰＵ、
１１    ＲＯＭ、
１２    ＲＡＭ、
１３    ハードディスク、
１４    操作パネル部、
１５    印刷部、
１６    ネットワークインタフェース、
１７    シリアルインタフェース、
１８    バス、
１００，２００    画像表示システム。
【図１】
0004544209.tif 000002
【図２】
0004544209.tif 000003
【図３】
0004544209.tif 000004
【図４】
0004544209.tif 000005
【図５】
0004544209.tif 000006
【図６】
0004544209.tif 000007
【図７】
0004544209.tif 000008
【図８】
0004544209.tif 000009
【図１０】
0004544209.tif 000010
【図１１】
0004544209.tif 000011
【図１２】
0004544209.tif 000012
【図１３】
0004544209.tif 000013
【図１５】
0004544209.tif 000014
【図９】
0004544209.tif 000015
【図１４】
0004544209.tif 000016
【図１６】
0004544209.tif 000017